(57)【特許請求の範囲】
【請求項１】
光学素子を備えるホルダと、該ホルダをベースに対して記録媒体の記録面のほぼ垂直方向および記録媒体のトラックを横切る方向の少なくとも一方に移動可能に支持するホルダ支持手段と、前記ベースが固定されるキャリッジとを具備する光学系駆動装置において、
前記ベースの記録媒体とは反対側に位置する面に、該面より突出する１本または複数本の脚状突起を設け、
前記キャリッジの前記脚状突起と対向する部位に、前記脚状突起が該脚状突起の延在方向と直交する２方向に移動可能な、前記脚状突起の断面積よりも大きい断面積の穴を設け、
前記ベースに設けた脚状突起を前記キャリッジに設けた穴に入れることにより前記ベースを前記キャリッジに傾き調整可能に支持し、前記ベースに設けた脚状突起を移動させることにより傾き調整した状態で、前記ベースおよび前記キャリッジ間に応力を発生させる部材を介在させないで、前記ベースを前記キャリッジに固定するようにしたことを特徴とする光学系駆動装置。
【請求項２】
傾き調整後に、前記ベースに設けた脚状突起および前記キャリッジに設けた穴の間隙に接着剤を充填することを特徴とする請求項１記載の光学系駆動装置。
【発明の詳細な説明】
【０００１】
【発明の属する技術分野】
本発明は、光学的に情報の記録／再生を行う光学式記録再生装置内に設けられる光学系駆動装置に関するものである。
【０００２】
【従来の技術】
光学式記録再生装置内に設けられる光学系駆動装置の従来例としては、例えば特開平５−３６０９０号公報の図１および図６に記載されたものがある。
【０００３】
特開平５−３６０９０号公報の図６に記載された光学系駆動装置（以下、従来例１という）では、レンズが取り付けられたホルダが、金属製のベース（支持部材）に２方向（ラジアル方向およびタンジェンシャル方向）に移動可能に支持されている。上記金属製のベースは、２本のネジと１本のピンとによって、スライドベースに固定されている。また、特開平５−３６０９０号公報の図１に記載された光学系駆動装置（以下、従来例２という）では、レンズが取り付けられたホルダを２方向（ラジアル方向およびタンジェンシャル方向）に移動可能に支持するベース（支持部材）の取付部でレンズの傾き調整を行うようにしている。
【０００４】
上記従来例１では、情報を正確に記録再生するために、記録媒体に対してレンズの光軸が垂直になるように調整する際には、２本のネジを回転調整することによりピンを基準として金属製のベースを撓ませ、それにより、ベース上に固定されているレンズを取り付けられたホルダの傾きを調整し得るようになっている。一方、上記従来例２では、傾き調整時にはベースの取付部をつかむようにしている。
【０００５】
【発明が解決しようとする課題】
上記従来例１の光学系駆動装置では、傾き調整時に金属製のベースを撓ませるため、傾き調整後には金属製のベースが撓んだままになってしまい、撓みが元に戻ろうとする力がその後働き続けることになる。その結果、長期間経過後にその力により金属製のベースが動いてしまい、調整状態がずれるという不具合が生じる。なお、上記従来例１において、ピンの代わりにバネを使用して金属製のベースをスライドベースに押さえ付け、バネを撓ませることにより傾き調整を行う構成も考えられるが、その場合にも、バネの撓みが元に戻ろうという力により長期間経過後に調整状態がずれる不具合が生じることとなる。
【０００６】
一方、上記従来例２の光学系駆動装置では、傾き調整時にベースの取付部をつかむ必要があるため、装置下面（記録媒体の反対側）から調整することが難しく、装置側面方向から調整する必要があるが、装置側面方向にはスライドベースを移動させる機構や光学系等が存在することが多いため、ベースの取付部を物理的につかむ機構を設けることが困難であり、ベースの取付部を物理的につかむ機構を設けたとしても作業性が悪くなり、調整に支障をきたすことになる。
【０００７】
本発明は、上記従来例の不具合に着目したものであり、長期間に亘って調整状態がずれることのない高性能な光学系駆動装置を提供することを第１の目的とし、調整性の良い光学系駆動装置を提供することを第２の目的とする。
【０００８】
【課題を解決するための手段】
上記第１および第２の目的を達成するため、請求項１に記載の第１発明は、光学素子を備えるホルダと、該ホルダをベースに対して記録媒体の記録面のほぼ垂直方向および記録媒体のトラックを横切る方向の少なくとも一方に移動可能に支持するホルダ支持手段と、前記ベースが固定されるキャリッジとを具備する光学系駆動装置において、前記ベースの記録媒体とは反対側に位置する面に、該面より突出する１本または複数本の脚状突起を設け、前記キャリッジの前記脚状突起と対向する部位に、前記脚状突起が該脚状突起の延在方向と直交する２方向に移動可能な、前記脚状突起の断面積よりも大きい断面積の穴を設け、前記ベースに設けた脚状突起を前記キャリッジに設けた穴に入れることにより前記ベースを前記キャリッジに傾き調整可能に支持し、前記ベースに設けた脚状突起を移動させることにより傾き調整した状態で、前記ベースおよび前記キャリッジ間に応力を発生させる部材を介在させないで、前記ベースを前記キャリッジに固定するようにしたことを特徴とする。
【０００９】
第１発明によれば、光学系駆動装置においてベースをキャリッジに固定する際には、まず、前記ベースの記録媒体とは反対側に位置する面より突出するように設けた１本または複数本の脚状突起を、前記キャリッジの対向する部位に設けた、前記脚状突起が該脚状突起の延在方向と直交する２方向に移動可能な、前記脚状突起の断面積よりも大きい断面積の穴に入れることにより前記ベースを前記キャリッジに傾き調整可能に支持し、次に、前記ベースに設けた脚状突起を移動させることにより傾き調整を行い、その後、傾き調整した状態で、前記ベースおよび前記キャリッジ間に応力を発生させる部材を介在させないで、前記ベースを前記キャリッジに固定する。したがって、上記従来例１のようにベースの撓みが元に戻ろうとする力により長期間経過後にベースが動いて調整状態がずれる不具合は生じず、長期間に亘って調整状態がずれることのない高性能な光学系駆動装置となる。また、上記従来例２のように調整方向が装置側面方向に限定されることはないから、調整性の良い光学系駆動装置となる。
【００１０】
請求項２に記載の第２発明は、傾き調整後に、前記ベースに設けた脚状突起および前記キャリッジに設けた穴の間隙に接着剤を充填することを特徴とする。
【００１１】
第２発明によれば、傾き調整後に、前記ベースに設けた脚状突起および前記キャリッジに設けた穴の間隙に接着剤を充填するから、傾き調整を完了した状態で前記ベースが前記キャリッジに強固かつ確実に固定されることになり、長期間が経過しても調整状態がずれることはない。
【００１２】
【発明の実施の形態】
以下、本発明の実施の形態を図面に基づき詳細に説明する。
図１および図２はそれぞれ、本発明の第１実施形態の光学系駆動装置の構成を示す斜視図および分解斜視図であり、図３〜図６は第１実施形態の光学系駆動装置を構成する部品の詳細図であり、図７は第１実施形態の光学系駆動装置の傾き調整後の状態を示す断面図である。
【００１３】
図１および図２に示すレンズ１１はレンズホルダ１２に固定されている。レンズホルダ１２には４本の板バネ１４の一端がそれぞれ固定されており、板バネ１４の他端はバネ受け１５に固定されている。以上の構成により、レンズホルダ１２が４本の板バネ１４により図示しない記録媒体の垂直方向（ｚ方向）及び半径方向（ｘ方向）に移動可能に支持された２軸アクチュエータ１０となる。
【００１４】
レンズホルダ１２には、さらに、レンズ１１を駆動するためのコイル（トラッキングコイル１３Ｔおよびフォーカスコイル１３Ｆ）が固定されている。すなわち、レンズホルダ１２を図１の矢印Ａ方向から見た状態を示す図３およびレンズホルダ１２を図１の矢印Ａの逆方向から見た状態を示す図４のように、レンズホルダ１２のコイル受け部１２ａの上部には２個のトラッキングコイル１３Ｔが左右に装着されており、これらトラッキングコイル１３Ｔの前面および裏面にはそれぞれフォーカスコイル１３Ｆが装着されている。
【００１５】
上記バネ受け１５は、図２に示すようにして、鉄製のアクチュエータヨーク２１の上部に固定されている。アクチュエータヨーク２１の上部には、２個の磁石２３も固定されている。アクチュエータヨーク２１は、図２に示すようにして、アクチュエータベース３０上に固定されている。この場合、バネ受け１５をアクチュエータベース３０に固定せずに、バネ受け１５をアクチュエータヨーク２１に固定しているため、レンズホルダに１２に固定されたコイル１３Ｔ，１３Ｆと磁石２３との位置関係のずれを、寸法ずれが積み重ねられるにも拘わらず最小にすることができ、磁石１３とコイル１３Ｔ，１３Ｆの位置関係のずれによる共振の発生を防止することができる。なお、バネ受け１５をアクチュエータヨーク２１に正確に位置決めするため、アクチュエータヨーク２１には基準穴２２が設けられており、この基準穴２２にバネ受け１５に設けた突起（図示せず）を嵌合することにより、バネ受け１５をアクチュエータヨーク２１の所定の位置に正確に取り付けるようにしている。
【００１６】
上記アクチュエータベース３０は合成樹脂で製作されている。このアクチュエータベース３０の底面（記録媒体の反対側に位置する面）には、図５に示すように、球面３１が形成されるとともに、上記底面から突出するように脚（脚状突起）３２が形成されている。一方、この脚３２が取り付けられる合成樹脂製のキャリッジ４０の対向する部位には、図６に示すように、球面４１および穴４２が形成されている。ここで、穴４２の断面積は、脚３２の断面積よりもより大きくなるように構成されている。
【００１７】
上記アクチュエータベース３０をキャリッジ４０に組み付ける際には、まず、図７に示すように、アクチュエータベース３０の球面３１とキャリッジ４０の球面４１とを重ね合わせ、次に、キャリッジ４０に設けた穴４２にアクチュエータベース３０に設けた脚３２を入れることによりアクチュエータベース３０をキャリッジ４０に傾き調整可能に支持した状態とし、この状態で以下の傾き調整を行う。なお、この傾き調整は、情報を正確に記録再生するために、記録媒体に対してレンズ１１の光軸が垂直になるように調整するものである。
【００１８】
この傾き調整時には、脚３２をｚ方向（図７の下へ向かう方向）に引いた状態で傾きを調整することにより、球面３１および球面４１間の浮きを防止することができる。また、球面３１を球面４１に沿ってスライドさせることにより、アクチュエータベース３０を傾かせることができ、これらによりレンズ１１の傾き調整を行うことができる。したがって、上記傾き調整時には、脚３２を手でつかんで所望の方向に動かすことになる。上記調整完了後には、図７に示すように、穴４２に接着剤３９を充填することにより、アクチュエータベース３０をキャリッジ４０に固定する。その際、紫外線硬化型接着剤を用いて、調整完了後に脚３２に紫外線を照射することにより、素早く固定することができる。
【００１９】
なお、脚３２以外の部位（例えば球面３１および球面４１の少なくとも一方もしくはアクチュエータベース３０およびキャリッジ４０の斜線を付した間隙部）にも予め接着剤を塗布しておくようにしてもよい。その球面部分に塗布する接着剤としては、約１２時間後硬化等の接着剤を用いてもよい。その場合、脚３２の部位で既に固定されているので、調整がずれることはなく、約１２時間後にさらに強力に固定されるようになる。
【００２０】
キャリッジ４０にはさらに、図２に示すように、ミラー５２およびＶＣＭコイル５１が接着固定されている。このキャリッジ４０は、図示していないが、記録媒体の半径方向に移動可能に支持されている。また、図示していないが、ＶＣＭコイル５１に磁界を及ぼす磁気回路も装置内に用意されている。
【００２１】
次に、上記のように構成されている本実施形態の光学系駆動装置の動作を説明する。
図示しない光学系より発せられたレーザ光は、ミラー５２で反射された後、レンズ１１によって収束されて、図示しない記録媒体上にスポットを形成する。記録媒体からの反射光は、再びレンズ１１およびミラー５２を経て上記光学系に戻り、そこでフォーカスエラー、トラッキングエラーおよび記録信号の検出が行われる。
【００２２】
上記検出において、フォーカスエラーやトラッキングエラーが検出された場合には、トラッキングコイル１３Ｔおよびフォーカスコイル１３Ｆの内の当該エラーに対応する方のコイルに電流を流すことにより、レンズホルダ１２を所定の方向に駆動する。このようにして、レンズホルダ１２およびそれに固定されたレンズ１１は、フォーカス制御およびトラッキング制御されることになる。その際、任意のトラックにアクセスする場合には、ＶＣＭコイル５１に電流を流すことにより、キャリッジ４０およびそれに搭載されたレンズ１１を所定の位置に移動させる。
【００２３】
本実施形態の光学系駆動装置では、上記従来例１のように傾き調整完了時にベースが撓んだ状態となる構造とはせずに、傾き調整完了後にアクチュエータベース３０に設けた脚３２をキャリッジ４０に設けた穴４２に接着固定する構造としたため、余分な力（ベースの撓みが元に戻ろうとする力）が作用することはなく、その力により長期間経過後にベースが動いて調整状態がずれることはないので、調整状態がずれることのない高性能な光学系駆動装置となる。その上、脚３２および穴４２を接着剤を充填した形で固定するので、両者が強固かつ確実に固定されることになる。さらに、脚３２をつかむことにより装置下面（記録媒体の反対側）から調整することができるので、上記従来例２のように調整方向が装置側面方向に限定されて調整作業がキャリッジ駆動手段や光学系に邪魔されることはなく、良好な作業性が得られるため、調整性の良い光学系駆動装置となる。
【００２４】
図８は本発明の第２実施形態の光学系駆動装置の主要部の構成を示す斜視図である。本実施形態では、第１実施形態のキャリッジ４０およびアクチュエータベース３０に対し変更を加えている。すなわち、キャリッジ４０には、図８に示すように３個の穴４２、４３、４４が設けられており、図示していないが、アクチュエータベース３０にはそれに対応して３個の脚が設けられている。なお、上記以外の部分の構成は、上記第１実施形態と同様になっている。
【００２５】
本実施形態では、アクチュエータベース３０に３個の脚を設けたため、上記第１実施形態に比べてより強固にアクチュエータベース３０をキャリッジ４０に固定することができる。また、３個の脚を引いて調整することにより、アクチュエータベース３０の調整時の浮きをより一層防ぎやすくなっている。
【００２６】
図９は本発明の第３実施形態の光学系駆動装置の主要部の構成を示す斜視図である。本実施形態では、第２実施形態のキャリッジ４０およびアクチュエータベース３０に対しさらに変更を加えている。すなわち、アクチュエータベース３０に設けた３本の脚３２、３３、３４には、さらに、図９に示すように、細い脚３５、３６、３７がそれぞれ突出する形となるように形成されている。なお、上記以外の部分の構成は、上記第２実施形態と同様になっている。
【００２７】
本実施形態では、細い脚３５、３６、３７をつかんで傾き調整を行い、調整完了後の接着剤が強固に固まったとき以後に、脚の境目６１、６２、６３の部位で細い脚を切断するため、長くした脚が調整時につかみやすくなっており、上記第２実施形態に比べてより良好な作業性を確保することができる。
【００２８】
なお、本発明は上述した実施の形態にのみ限定されるものではなく、幾多の変形または変更が可能である。
例えば、上記各実施形態では脚３２や球面３１，４１をアクチュエータベース３０とは別体的に設けているが、脚３２や球面３１，４１をアクチュエータヨークにアウトサート成型のような手段で直接形成するようにしてもよい。また、キャリッジ４０の材質は樹脂製に限定されるものではなく、例えば金属製としてもよい。また、キャリッジ４０とアクチュエータベース３０との間の浮き防止策として、脚を引くのではなく、アクチュエータベース３０の脚と反対側を押すようにしてもよい。
【００２９】
また、以下の付記項のように構成してもよい。
光学素子を備えるホルダと、該ホルダをベースに対して記録媒体の記録面のほぼ垂直方向および記録媒体のトラックを横切る方向の少なくとも一方に移動可能に支持するホルダ支持手段と、前記ベースが固定されるキャリッジとを具備する光学系駆動装置において、前記ベースの記録媒体とは反対側に位置する面に、該面より突出する１本または複数本の脚状突起を設け、前記キャリッジの前記脚状突起と対向する部位に前記脚状突起の断面積よりも大きい断面積の穴を設け、前記ベースに設けた脚状突起を前記キャリッジに設けた穴に入れることにより前記ベースを前記キャリッジに傾き調整可能に支持し、前記ベースに設けた脚状突起を移動させることにより傾き調整した状態で前記ベースを前記キャリッジに固定するようにしたことを特徴とする光学系駆動装置（付記項１）。
傾き調整後に、前記ベースに設けた脚状突起および前記キャリッジに設けた穴の間隙に接着剤を充填することを特徴とする付記項１記載の光学系駆動装置（付記項２）。
前記ベースに設けた脚状突起が、前記キャリッジの記録媒体とは反対側に位置する面から突出するようにしたことを特徴とする、付記項１または２記載の光学系駆動装置（付記項３）。このようにすると、前記ベースに設けた脚状突起が前記キャリッジの記録媒体とは反対側に位置する面から突出しているため、該脚状突起部分をつかみやすくなり、調整作業性が向上した光学系駆動装置となる。
【００３０】
前記脚状突起の前記キャリッジの記録媒体とは反対側に位置する面から突出した部分を調整後に切断するようにしたことを特徴とする付記項３記載の光学系駆動装置（付記項４）。このようにすると、前記突出した部分を調整後に切断することにより、良好な調整性と装置の小型化とを同時に実現し得る光学系駆動装置となる。
前記ベースが合成樹脂製であることを特徴とする付記項１〜４記載の光学系駆動装置（付記項５）。このようにすると、ベースが合成樹脂製であるため、前記脚状突起部分を安価に形成し得る光学系駆動装置となる。
磁気回路を形成する金属製ヨークを有し、前記ホルダを前記ベースに対して支持する支持手段を前記金属製ヨークに一旦取り付けた後に、該金属製ヨークを合成樹脂製のベースに取り付けるようにしたことを特徴とする付記項１〜５記載の光学系駆動装置（付記項６）。このようにすると、前記ホルダを前記ベースに対して支持する支持手段を、磁気回路を形成する金属製ヨークに一旦取り付けた後に、該金属製ヨークを合成樹脂製のベースに取り付けることにより、磁石とコイルとの位置ずれを最小にすることができ、共振等の無い高性能な光学系駆動装置となる。
【００３１】
【発明の効果】
第１発明によれば、光学系駆動装置のベースに設けた脚状突起を、キャリッジの対向する部位に設けた、前記脚状突起が該脚状突起の延在方向と直交する２方向に移動可能な、前記脚状突起の断面積よりも大きい断面積の穴に入れた状態で傾き調整を行った後に、前記ベースおよび前記キャリッジ間に応力を発生させる部材を介在させないで、前記ベースを前記キャリッジに固定するから、前記ベースを撓ませることなく前記キャリッジに固定することができ、長期に亘って調整状態がずれることのない高性能な光学系駆動装置となる。また、前記ベースが前記キャリッジに傾き調整可能に支持されており、前記ベースに設けた脚状突起を動かすことにより傾き調整可能であるので、記録媒体の反対側からベースの傾き調整を行うことができ、調整時の作業性の良い光学系駆動装置となる。
【００３２】
第２発明によれば、傾き調整後に、前記ベースに設けた脚状突起および前記キャリッジに設けた穴の間隙に接着剤を充填するから、傾き調整を完了した状態で前記ベースが前記キャリッジに強固かつ確実に固定されることになり、長期間が経過しても調整状態がずれることはない。また、目に見える部分で接着剤を硬化させることができるので、作業性の良い光学系駆動装置となる。
【図面の簡単な説明】
【図１】  本発明の第１実施形態の光学系駆動装置の構成を示す斜視図である。
【図２】  本発明の第１実施形態の光学系駆動装置の構成を示す分解斜視図である。
【図３】  第１実施形態の光学系駆動装置を構成する部品の詳細図である。
【図４】  第１実施形態の光学系駆動装置を構成する部品の詳細図である。
【図５】  第１実施形態の光学系駆動装置を構成する部品の詳細図である。
【図６】  第１実施形態の光学系駆動装置を構成する部品の詳細図である。
【図７】  第１実施形態の光学系駆動装置の傾き調整後の状態を示す断面図である。
【図８】  本発明の第２実施形態の光学系駆動装置の主要部の構成を示す斜視図である。
【図９】  本発明の第３実施形態の光学系駆動装置の主要部の構成を示す斜視図である。
【符号の説明】
１０  ２軸アクチュエータ
１１  レンズ
１２  レンズホルダ
１３Ｔ  トラッキングコイル
１３Ｆ  フォーカシングコイル
１４  板バネ（ホルダ支持手段）
１５  バネ受け
２１  アクチュエータヨーク
２２  基準穴
２３  磁石
３０  アクチュエータベース
３１  球面
３２  脚（脚状突起）
３９  接着剤
４０  キャリッジ
４１  球面
４２  穴
【図１】
0003973815.tif 000002
【図２】
0003973815.tif 000003
【図３】
0003973815.tif 000004
【図４】
0003973815.tif 000005
【図５】
0003973815.tif 000006
【図６】
0003973815.tif 000007
【図７】
0003973815.tif 000008
【図８】
0003973815.tif 000009
【図９】
0003973815.tif 000010